(57)【要約】【課題】簡易な設置作業で安定した架台構造が確保できる太陽光発電パネル取付用架台を提供する。【解決手段】太陽光発電パネル３が取り付けられる上面と、第一の開口（注入口）４及び該第一の開口４より低い位置に開口する第二の開口（排出口）５が設けられる側面とを有する、プラスチック等の軽量材料によって一体成形されたタンク架台１である。【選択図】　図１
2004006566.tif 000002
【特許請求の範囲】
【請求項１】
太陽光発電パネルが取り付けられる上面と、第一の開口及び該第一の開口より低い位置に開口する第二の開口が設けられる側面とを有する、軽量材料によって一体成形されたタンク架台であることを特徴とする太陽光発電パネル取付用架台。
【請求項２】
前記タンク架台の上面は傾斜されることを特徴とする請求項１記載の太陽光発電パネル取付用架台。
【請求項３】
前記第一の開口は上下方向に複数設けられることを特徴とする請求項１又は２記載の太陽光発電パネル取付用架台。
【請求項４】
前記タンク架台の内底面は第二の開口に向かって下向きに傾斜することを特徴とする請求項１，２又は３記載の太陽光発電パネル取付用架台。
【請求項５】
前記タンク架台の底部に脚を具備したことを特徴とする請求項１，２，３又は４記載の太陽光発電パネル取付用架台。
【請求項６】
前記タンク架台は平面視でＨ型に形成されることを特徴とする請求項１，２，３，４又は５記載の太陽光発電パネル取付用架台。
【請求項７】
前記タンク架台上に梁材を介して前記太陽光発電パネルが取り付けられることを特徴とする請求項１，２，３，４又は５記載の太陽光発電パネル取付用架台。
【請求項８】
前記梁材は複数並設されたタンク架台間に架設されることを特徴とする請求項７記載の太陽光発電パネル取付用架台。
【請求項９】
前記タンク架台は複数並設されて相互に配管を介して連通されることを特徴とする請求項１，２，３，４，５，６，７又は８記載の太陽光発電パネル取付用架台。
【請求項１０】
前記配管を介して複数のタンク架台内の流動体を循環させると共に同配管途中に熱交換部を設けたことを特徴とする請求項９記載の太陽光発電パネル取付用架台。
【発明の詳細な説明】
【０００１】
【発明の属する技術分野】
本発明は、太陽光発電パネルを取り付けるために用いられる架台に係り、一層詳細には、設置性に優れた太陽光発電パネル取付用架台に関する。
【０００２】
【従来の技術】
近年、いわゆるエコロジの観点から太陽光発電が注目され、太陽光発電パネルとして一般化されている。この太陽光発電パネルは、一般的に、地面又は屋上に設置される。
【０００３】
図１４は、従来の太陽光発電パネル取付用架台の斜視図であって、鉄骨構造又はＲＣ構造とすることが普通であった。即ち、鉄骨構造の架台１０１の上面には複数枚の太陽光発電パネル１０４がアルミフレーム１０５によって固定されると共に、太陽光発電パネル１０４が受ける風圧に耐え得るように、架台１０１を地面又は屋上に設置した基礎１０２上に固定することが不可欠であった。
【０００４】
【発明が解決しようとする課題】
しかしながら、地面又は屋上に基礎を設置するためには既存構造物との取り合いを考慮する必要があると共に、基礎上への架台の設置工事及び架台上にアルミフレーム等を用いて太陽光発電パネルを取り付ける工事の工費・工期も多くを要するなどの問題点があった。
【０００５】
本発明は、このような実情に鑑み提案されたもので、太陽光発電パネルが簡単に取り付けられると共に、タンク架台に対し流動体を給，排出することで設置作業が容易でかつ安定した架台構造が確保できる太陽光発電パネル取付用架台を提供することを目的とする。
【０００６】
【課題を解決するための手段】
斯かる目的を達成するための本発明に係る太陽光発電パネル取付用架台は、太陽光発電パネルが取り付けられる上面と、第一の開口及び該第一の開口より低い位置に開口する第二の開口が設けられる側面とを有する、軽量材料によって一体成形されたタンク架台であることを特徴とする。
【０００７】
また、前記タンク架台の上面は傾斜されることを特徴とする。
【０００８】
また、前記第一の開口は上下方向に複数設けられることを特徴とする。
【０００９】
また、前記タンク架台の内底面は第二の開口に向かって下向きに傾斜することを特徴とする。
【００１０】
また、前記タンク架台の底部に脚を具備したことを特徴とする。
【００１１】
また、前記タンク架台は平面視でＨ型に形成されることを特徴とする。
【００１２】
また、前記タンク架台上に梁材を介して前記太陽光発電パネルが取り付けられることを特徴とする。
【００１３】
また、前記梁材は複数並設されたタンク架台間に架設されることを特徴とする。
【００１４】
また、前記タンク架台は複数並設されて相互に配管を介して連通されることを特徴とする。
【００１５】
また、前記配管を介して複数のタンク架台内の流動体を循環させると共に同配管途中に熱交換部を設けたことを特徴とする。
【００１６】
【発明の実施の形態】
以下、本発明に係る太陽光発電パネル取付用架台を実施例により図面を用いて詳細に説明する。
【００１７】
［第１実施例］
図１は本発明の第１実施例を示す太陽光発電パネル取付用架台の斜視図、図２は同じく図１のＡ−Ａ線矢視図である。
【００１８】
図中１はプラスチック等の軽量成形材料製の中空箱状のタンク架台で、地面又は屋上である設置面６に設置される。
【００１９】
タンク架台１の上面は、太陽光を効率良く受光することができるように、適度の角度（例えば３０°）で傾斜しており、太陽光発電パネル３が、例えばボルトによって固定されている。これにより、従来のアルミフレーム等を用いずに太陽光発電パネル３をタンク架台１に取り付けることが可能となる。
【００２０】
そして、タンク架台１の一側面（背面）には、第一の開口（注入口）４と該第一の開口（注入口）４より低い位置に開口する第二の開口（排出口）５が設けられている。
【００２１】
従って、タンク架台１は内部を空にすることにより軽量となり、運搬及び設置が極めて容易である。
【００２２】
一方、タンク架台１の設置が完了した時は、排出口５に蓋をした状態で注入口４から水、砂あるいは水と砂の混合物等の流動体２を注入してタンク架台１の重量を増加することにより、風圧等によりタンク架台１が移動することが防止される。つまり、設置箇所に基礎を設ける必要がないのである。
【００２３】
また、タンク架台１を移設することが必要となった場合には、排出口５から流動体２を一部又は全部を排出して重量を軽くすることで、取り外し及び移動が容易となる。
【００２４】
尚、太陽光発電パネル３はタンク架台１の据付け後に取り付けても、又はタンク架台１の据付け前に取り付けても良い。
【００２５】
［第２実施例］
図３は本発明の第２実施例を示す太陽光発電パネル取付用架台の斜視図である。
【００２６】
これは、第１実施例におけるタンク架台１を左右（横）方向に長く形成して、複数枚（図示例では３枚）の太陽光発電パネル３を取り付けるようにした例である。
【００２７】
これによれば、多数枚の太陽光発電パネル３をボルト等で簡単に取り付けることができる。
【００２８】
［第３実施例］
図４は本発明の第３実施例を示す太陽光発電パネル取付用架台の断面図である。
【００２９】
これは、第１実施例におけるタンク架台１の内底面７を排出口５に向けて下向きに傾斜させた例である。
【００３０】
これによれば、タンク架台１の内部に注入した流動体２の排出が容易となる。
【００３１】
［第４実施例］
図５は本発明の第４実施例を示す太陽光発電パネル取付用架台の断面図である。
【００３２】
これは、第１実施例におけるタンク架台１の底部に脚８を適当数取り付けた例である。
【００３３】
これによれば、タンク架台１（太陽光発電パネル３）の設置箇所に配管、配線がすでに敷設されている場合にも、配管、配線を跨いでタンク架台１を設置することが可能となる。
【００３４】
［第５実施例］
図６は本発明の第５実施例を示す太陽光発電パネル取付用架台の適用例の斜視図、図７は同じく背面図である。
【００３５】
これは、第１実施例におけるタンク架台１を左右（横）方向に所定間隔離間して複数個（図示例では３個）並設すると共にこれらの上面に前後一対の梁材（支持材）１２を架け渡し、この梁材１２上に太陽光発電パネル３を取り付け、かつ各タンク架台１の排出口５を配管９で連通してその一端側にバルブ１１を介装した例である。
【００３６】
これによれば、梁材１２によって安定した架台構造を確保しつつタンク架台１の分割・小型化が図れ、移動や設置に有効でかつ太陽光発電パネル３のサイズ変更に容易に適応できると共に増設も容易となる。また、バルブ１１を介してにタンク架台１内の流動体２を消火や水洗等の用途先に供給することができる。つまり、タンク架台１は貯水槽として利用することができるのである。
【００３７】
また、配管９の他端９Ａはタンク架台１の増設や他の給排水用途に用いることができる。また、各タンク架台１に対する前記配管９の設置位置をある程度高くしておけば、各タンク架台１において流動体（貯水）２の全量が排出されないことから、各タンク架台１（太陽光発電パネル３）の安定性は損なわれない。
【００３８】
［第６実施例］
図８は本発明の第６実施例を示す太陽光発電パネル取付用架台の断面図である。
【００３９】
これは、第１実施例におけるタンク架台１の第一の開口（注入口）４を上下方向に所定間隔離間して複数個（図示例では３個の注入口４ａ，４ｂ，４ｃ）設けた例である。
【００４０】
これによれば、タンク架台１（太陽光発電パネル３）の設置箇所に必要な構造条件に適した量の流動体２を、計測計無しに、無駄なく注入することができる。また、各タンク架台１の排出口５を配管９で連通して給排水できることから、各タンク架台１の注入口４ａ、４ｂ、４ｃのいずれかを開放して配管９を通じて給水することによって一定量の流動体２を計測を必要とせず注入することができる。
【００４１】
［第７実施例］
図９は本発明の第７実施例を示す太陽光発電パネル取付用架台の斜視図である。
【００４２】
これは、第１実施例における一個のタンク架台１の上面に前後一対の梁材１２を介して太陽光発電パネル３を取り付けるようにした例である。
【００４３】
これによれば、タンク架台１を可及的に小型化することができると共に、適当な長さの梁材１２を選択することで太陽光発電パネル３のサイズ変更に容易に適応できる。
【００４４】
［第８実施例］
図１０は本発明の第８実施例を示す太陽光発電パネル取付用架台の斜視図である。
【００４５】
これは、第７実施例における前後一対の梁材１２を左右方向に二つ設けたタンク架台１間に架設して太陽光発電パネル３を取り付けるようにした例（図１０の（ａ））と左右一対の梁材１２を前後方向に二つ設けたタンク架台１間に架設して太陽光発電パネル３を取り付けるようにした例（図１０の（ｂ））である。また、これらを１ユニットとして左右方向へ複数ユニットを連結するようにもなっているが、特に複数ユニットを連結しなくても良い。
【００４６】
これによれば、梁材１２によって安定した架台構造を確保しつつタンク架台１の分割・小型化が図れ、移動や設置に有効でかつ太陽光発電パネル３のサイズ変更に容易に適応できると共に増設も容易となる。
【００４７】
［第９実施例］
図１１は本発明の第９実施例を示す太陽光発電パネル取付用架台の斜視図である。
【００４８】
これは、第１実施例におけるタンク架台１を平面視でＨ型に形成した例である。また、これを左右方向へ複数個連結するようにもなっているが、特に複数個連結しなくても良い。
【００４９】
これによれば、梁材１２等を用いることなく、タンク架台１の架台構造を確保しつつタンク架台１の軽量・小型化が図れ、移動や設置に有効である。
【００５０】
［第１０実施例］
図１２は本発明の第１０実施例を示す太陽光発電パネル取付用架台の斜視図である。
【００５１】
これは、第８実施例におけるタンク架台１を太陽光発電パネル３一枚宛４個用い、左右のタンク架台１間に梁材１２を架設した例である。図示しないが、前後のタンク架台１間に梁材１２を架設しても良い。また、これらを１ユニットとして左右方向へ複数ユニットを連結するようにもなっているが、特に複数ユニットを連結しなくても良い。
【００５２】
これによれば、梁材１２によって安定した架台構造を確保しつつタンク架台１の分割・小型化が図れ、移動や設置に有効でかつ太陽光発電パネル３のサイズ変更に容易に適応できると共に増設も容易となる。
【００５３】
［第１１実施例］
図１３は本発明の第１１実施例を示す太陽光発電パネル取付用架台の適用例の概念図である。
【００５４】
これは、例えば前後一対の梁材１２を左右方向に二つ設けたタンク架台１間に架設して太陽光発電パネル３を取り付けて１ユニットとしたものを左右方向へ複数ユニット連結すると共に、各ユニット間のタンク架台１を配管９で連結して複数ユニットの各タンク架台１内の流動体（水）２を循環させると共に、同配管９途中に熱交換器１３を設け、該熱交換器１３で各タンク架台１内の温度の高い（太陽光で暖められる）流動体（水）２と配管１４内を流れる上水等を熱交換するようにした例である。
【００５５】
これによれば、各タンク架台１内の流動体（水）２をお湯を作る熱供給源として利用することができる。
【００５６】
尚、本発明は上記各実施例に限定されず、本発明の要旨を逸脱しない範囲で、各種変更が可能であることはいうまでもない。例えば、各実施例を適宜組み合わせて実施することも可能である。
【００５７】
【発明の効果】
以上、実施例に基づいて詳細に説明したように、本発明の請求項１に係る発明は、太陽光発電パネルが取り付けられる上面と、第一の開口及び該第一の開口より低い位置に開口する第二の開口が設けられる側面とを有する、軽量材料によって一体成形されたタンク架台であることを特徴とするので、太陽光発電パネルが簡単に取り付けられると共に、タンク架台に対し流動体を給，排出することで設置作業が容易でかつ安定した架台構造が確保できる。
【００５８】
また、本発明の請求項２に係る発明は、前記タンク架台の上面は傾斜されることを特徴とするので、他に部材を用意しなくても、太陽光発電効率を向上させる安定した太陽光発電パネルの設置角度を確保することができる。
【００５９】
また、本発明の請求項３に係る発明は、前記第一の開口は上下方向に複数設けられることを特徴とするので、タンク架台（太陽光発電パネル）の設置箇所に必要な構造条件に適した量の流動体を、計測計無しに、無駄なく注入することができる。
【００６０】
また、本発明の請求項４に係る発明は、前記タンク架台の内底面は第二の開口に向かって下向きに傾斜することを特徴とするので、タンク架台の内部に注入した流動体の排出が容易となる。
【００６１】
また、本発明の請求項５に係る発明は、前記タンク架台の底部に脚を具備したことを特徴とするので、タンク架台（太陽光発電パネル）の設置箇所に配管、配線がすでに敷設されている場合にも、配管、配線を跨いでタンク架台を設置することが可能となり、設置性が向上する。
【００６２】
また、本発明の請求項６に係る発明は、前記タンク架台は平面視でＨ型に形成されることを特徴とするので、梁材等を用いることなく、タンク架台の架台構造を確保しつつタンク架台の軽量・小型化が図れ、移動や設置に有効である。
【００６３】
また、本発明の請求項７に係る発明は、前記タンク架台上に梁材を介して前記太陽光発電パネルが取り付けられることを特徴とするので、タンク架台を可及的に小型化することができると共に、適当な長さの梁材を選択することで太陽光発電パネルのサイズ変更に容易に適応できる。
【００６４】
また、本発明の請求項８に係る発明は、前記梁材は複数並設されたタンク架台間に架設されることを特徴とするので、梁材によって安定した架台構造を確保しつつタンク架台の分割・小型化が図れ、移動や設置に有効でかつ太陽光発電パネルのサイズ変更に容易に適応できると共に増設も容易となる。
【００６５】
また、本発明の請求項９に係る発明は、前記タンク架台は複数並設されて相互に配管を介して連通されることを特徴とするので、バルブ等を介してタンク架台内の流動体を消火や水洗等の用途先に供給することができる。つまり、タンク架台は貯水槽として利用することができる。また、配管を介して各タンク架台への給水も可能となり、各タンク架台の注入口を利用して一定量の流動体を効率良く供給することができる。
【００６６】
また、本発明の請求項１０に係る発明は、前記配管を介して複数のタンク架台内の流動体を循環させると共に同配管途中に熱交換部を設けたことを特徴とするので、各タンク架台内の流動体（水）をお湯を作る熱供給源として利用することができる。
【図面の簡単な説明】
【図１】本発明の第１実施例を示す太陽光発電パネル取付用架台の斜視図である。
【図２】同じく図１のＡ−Ａ線矢視図である。
【図３】本発明の第２実施例を示す太陽光発電パネル取付用架台の斜視図である。
【図４】本発明の第３実施例を示す太陽光発電パネル取付用架台の断面図である。
【図５】本発明の第４実施例を示す太陽光発電パネル取付用架台の断面図である。
【図６】本発明の第５実施例を示す太陽光発電パネル取付用架台の適用例の斜視図である。
【図７】同じく図６の背面図である。
【図８】本発明の第６実施例を示す太陽光発電パネル取付用架台の断面図である。
【図９】本発明の第７実施例を示す太陽光発電パネル取付用架台の斜視図である。
【図１０】本発明の第８実施例を示す太陽光発電パネル取付用架台の斜視図である。
【図１１】本発明の第９実施例を示す太陽光発電パネル取付用架台の斜視図である。
【図１２】本発明の第１０実施例を示す太陽光発電パネル取付用架台の斜視図である。
【図１３】本発明の第１１実施例を示す太陽光発電パネル取付用架台の適用例の概念図である。
【図１４】従来の太陽光発電パネル取付用架台の斜視図である。
【符号の説明】
１　タンク架台
２　流動体
３　太陽光発電パネル
４　第一の開口（注入口）
５　第二の開口（排出口）
６　設置面
７　内底面
８　脚
９　配管
１１　バルブ
１２　梁材
１３　熱交換器
１４　配管
【図１】
2004006566.tif 000003
【図２】
2004006566.tif 000004
【図３】
2004006566.tif 000005
【図４】
2004006566.tif 000006
【図５】
2004006566.tif 000007
【図６】
2004006566.tif 000008
【図７】
2004006566.tif 000009
【図８】
2004006566.tif 000010
【図９】
2004006566.tif 000011
【図１０】
2004006566.tif 000012
【図１１】
2004006566.tif 000013
【図１２】
2004006566.tif 000014
【図１３】
2004006566.tif 000015
【図１４】
2004006566.tif 000016